(57)【要約】【課題】負荷に対して必要以上の能力供給を行うことなく、広い運転条件下でガス欠を確実に検出できる空気調和機を提供する。【解決手段】入力電流判定手段１０ａが圧縮機１の入力電流が所定電流値未満であると判定し、かつ、第１温度判定手段１０ｂが室内熱交換器６の温度と室内空気の温度との温度差の絶対値が第１所定温度未満であると判定し、かつ、第２温度判定手段１０ｃが室外熱交換器３の温度と外気温度との温度差の絶対値が第２所定温度未満であると判定したとき、ガス欠判定手段１０ｄによりガス欠であると判定する。【選択図】  図１
2004162979.tif 000002
【特許請求の範囲】
【請求項１】
圧縮機（１），室内熱交換器（６），減圧手段（４）および室外熱交換器（３）が環状に接続された冷媒回路を備え、上記圧縮機（１）の運転周波数を制御する空気調和機において、
上記圧縮機（１）の入力電流が上記圧縮機（１）の運転周波数に応じた所定電流値未満で、かつ、上記室内熱交換器（６）の温度と上記室内空気の温度との温度差の絶対値が第１所定温度未満で、かつ、上記室外熱交換器（３）の温度と上記外気温度との温度差の絶対値が第２所定温度未満であるとき、ガス欠と判定することを特徴とする空気調和機。
【請求項２】
圧縮機（１），室内熱交換器（６），減圧手段（４）および室外熱交換器（３）が環状に接続された冷媒回路を備え、上記圧縮機（１）の運転周波数を制御する空気調和機において、
上記圧縮機（１）に入力される入力電流を検出する入力電流センサ（２１）と、
上記室内熱交換器（６）の温度を検出する室内熱交換器温度センサ（１３）と、
室内空気の温度を検出する室内温度センサ（１４）と、
上記室外熱交換器（３）の温度を検出する室外熱交換器温度センサ（１１）と、
外気温度を検出する外気温度センサ（１２）と、
上記入力電流センサ（２１）により検出された上記圧縮機（１）の入力電流が、上記圧縮機（１）の運転周波数に応じた所定電流値未満か否かを判定する入力電流判定手段（１０ａ）と、
上記室内熱交換器温度センサ（１３）により検出された上記室内熱交換器（６）の温度と上記室内温度センサ（１４）により検出された上記室内空気の温度との温度差の絶対値が第１所定温度未満か否かを判定する第１温度判定手段（１０ｂ）と、
上記室外熱交換器温度センサ（１１）により検出された上記室外熱交換器（３）の温度と上記外気温度センサ（１２）により検出された上記外気温度との温度差の絶対値が第２所定温度未満か否かを判定する第２温度判定手段（１０ｃ）と、
上記入力電流判定手段（１０ａ）が上記圧縮機（１）の入力電流が所定電流値未満であると判定し、かつ、上記第１温度判定手段（１０ｂ）が上記室内熱交換器（６）の温度と上記室内空気の温度との温度差の絶対値が第１所定温度未満であると判定し、かつ、上記第２温度判定手段（１０ｃ）が上記室外熱交換器（３）の温度と上記外気温度との温度差の絶対値が第２所定温度未満であると判定したとき、ガス欠であると判定するガス欠判定手段（１０ｄ）とを備えたことを特徴とする空気調和機。
【請求項３】
請求項２に記載の空気調和機において、
上記入力電流判定手段（１０ａ）の上記圧縮機（１）の入力電流の判定に用いる上記所定電流値は、上記圧縮機（１）の運転周波数に基づいて少なくとも冷房運転と暖房運転の運転モードに応じて設定されることを特徴とする空気調和機。
【請求項４】
請求項２または３に記載の空気調和機において、
所定時間を計時する計時手段（１０ｅ）を備え、
上記ガス欠判別手段（１０ｄ）は、上記入力電流判定手段（１０ａ）が上記圧縮機（１）の入力電流が上記所定電流値未満であると判定し、かつ、上記第１温度判定手段（１０ｂ）が上記室内熱交換器（６）の温度と上記室内空気の温度との温度差の絶対値が上記第１所定温度未満であると判定し、かつ、上記第２温度判定手段（１０ｃ）が上記室外熱交換器（３）の温度と上記外気温度との温度差の絶対値が上記第２所定温度未満であると判定する状態が上記計時手段（１０ｅ）による上記所定時間以上継続したとき、ガス欠であると判定することを特徴とする空気調和機。
【発明の詳細な説明】
【０００１】
【発明の属する技術分野】
この発明は、空気調和機に関する。
【０００２】
【従来の技術】
空気調和機は、冷媒漏れが発生するとユーザーが望む空気調和ができず、さらに過度な冷媒漏れは、圧縮機などの機能部品の故障をも引き起こす。そこで、冷媒漏れを検出して不具合の発生を未然に防止するガス欠検知制御を行う空気調和機が提案されている。
【０００３】
このような従来の第１の空気調和機として、運転電流に対して一定判定値を用いたガス欠判定を行ったり、運転開始から一定の運転周波数で圧縮機を運転させて、凝縮器温度とその吸込温度との温度差および蒸発器温度とその吸込温度の温度差によりガス欠判定を行ったりするものがある。
【０００４】
また、従来の第２の空気調和機として、圧縮機の吐出冷媒ガス温度と吐出冷媒ガス温度に基づいてガス欠を検出するものがある（例えば、特許文献１参照）。
【０００５】
【特許文献１】
特開５−１９６３０８号公報
【０００６】
【発明が解決しようとする課題】
ところで、上記第１の空気調和機では、一定の電流判定値でガス欠判定を行うため、低い運転周波数でガス欠判定を行うと正常運転時に誤検出し、インバータ駆動する圧縮機の運転周波数が圧縮機の運転周波数の上限域でのガス欠検出しかできないという欠点がある。また、上記第１の空気調和機では、検出に確実性を持たせるために負荷に対して必要以上の能力供給を行わなければならないという問題がある。このため、上記第１の空気調和機では、運転開始から一定時間のみのガス欠判定とせざるを得ない。また、上記第２の空気調和機においても、低い運転周波数でガス欠判定を行うと正常運転時に誤検出してしまうという問題がある。
【０００７】
そこで、この発明の目的は、負荷に対して必要以上の能力供給を行うことなく、広い運転条件下でガス欠を確実に検出できる空気調和機を提供することにある。
【０００８】
【課題を解決するための手段】
上記目的を達成するため、請求項１の空気調和機は、圧縮機，室内熱交換器，減圧手段および室外熱交換器が環状に接続された冷媒回路を備え、上記圧縮機の運転周波数を制御する空気調和機において、上記圧縮機の入力電流が上記圧縮機の運転周波数に応じた所定電流値未満で、かつ、上記室内熱交換器の温度と上記室内空気の温度との温度差の絶対値が第１所定温度未満で、かつ、上記室外熱交換器の温度と上記外気温度との温度差の絶対値が第２所定温度未満であるとき、ガス欠と判定することを特徴としている。
【０００９】
上記請求項１の空気調和機によれば、上記圧縮機の入力電流が上記圧縮機の運転周波数に応じた所定電流値未満であるという条件と、上記室内熱交換器の温度と上記室内空気の温度との温度差の絶対値が第１所定温度未満であるという条件と、上記室外熱交換器の温度と上記外気温度との温度差の絶対値が第２所定温度未満であるという条件の３つの条件が満たされたとき、ガス欠と判定されるので、各条件のいずれかが誤検出したとしても他の２つの条件により補完でき、従来よりも広範囲の運転条件において積極的にガス欠検出を実施することができる。したがって、負荷に対して必要以上の能力供給を行うことなく、広い運転条件下でガス欠を確実に検出でき、ガス欠時の機能部品の故障を防止することができる。また、冷媒回路の閉塞時も同様に検出でき、閉塞時の機能部品の故障を防止することができる。
【００１０】
また、請求項２の空気調和機は、圧縮機，室内熱交換器，減圧手段および室外熱交換器が環状に接続された冷媒回路を備え、上記圧縮機の運転周波数を制御する空気調和機において、上記圧縮機に入力される入力電流を検出する入力電流センサと、上記室内熱交換器の温度を検出する室内熱交換器温度センサと、室内空気の温度を検出する室内温度センサと、上記室外熱交換器の温度を検出する室外熱交換器温度センサと、外気温度を検出する外気温度センサと、上記入力電流センサにより検出された上記圧縮機の入力電流が、上記圧縮機の運転周波数に応じた所定電流値未満か否かを判定する入力電流判定手段と、上記室内熱交換器温度センサにより検出された上記室内熱交換器の温度と上記室内温度センサにより検出された上記室内空気の温度との温度差の絶対値が第１所定温度未満か否かを判定する第１温度判定手段と、上記室外熱交換器温度センサにより検出された上記室外熱交換器の温度と上記外気温度センサにより検出された上記外気温度との温度差の絶対値が第２所定温度未満か否かを判定する第２温度判定手段と、上記入力電流判定手段が上記圧縮機の入力電流が所定電流値未満であると判定し、かつ、上記第１温度判定手段が上記室内熱交換器の温度と上記室内空気の温度との温度差の絶対値が第１所定温度未満であると判定し、かつ、上記第２温度判定手段が上記室外熱交換器の温度と上記外気温度との温度差の絶対値が第２所定温度未満であると判定したとき、ガス欠であると判定するガス欠判定手段とを備えたことを特徴としている。
【００１１】
上記請求項２の空気調和機によれば、上記圧縮機の入力電流が上記圧縮機の運転周波数に応じた所定電流値未満であるという条件（入力電流判定手段）と、上記室内熱交換器の温度と上記室内空気の温度との温度差の絶対値が第１所定温度未満であるという条件（第１温度判定手段）と、上記室外熱交換器の温度と上記外気温度との温度差の絶対値が第２所定温度未満であるという条件（第２温度判定手段）の３つの条件が満たされたとき、上記ガス欠判定手段によりガス欠と判定されるので、各条件のいずれかが誤検出したとしても他の２つの条件により補完でき、従来よりも広範囲の運転条件において積極的にガス欠検出を実施することができる。したがって、負荷に対して必要以上の能力供給を行うことなく、広い運転条件下でガス欠を確実に検出でき、ガス欠時の機能部品の故障を防止することができる。また、冷媒回路の閉塞時も同様に検出でき、閉塞時の機能部品の故障を防止することができる。
【００１２】
また、請求項３の空気調和機は、請求項２の空気調和機において、上記入力電流判定手段の上記圧縮機の入力電流の判定に用いる上記所定電流値は、上記圧縮機の運転周波数に基づいて少なくとも冷房運転と暖房運転の運転モードに応じて設定されることを特徴としている。
【００１３】
上記請求項３の空気調和機によれば、少なくとも冷房運転と暖房運転の運転モードに応じて上記入力電流判定手段で用いる上記所定電流値を設定することによって、そのときの運転モードに応じた最適な上記所定電流値による判定ができ、上記圧縮機の入力電流の判定をより正確に行うことができる。
【００１４】
また、請求項４の空気調和機は、請求項２または３の空気調和機において、所定時間を計時する計時手段を備え、上記ガス欠判別手段は、上記入力電流判定手段が上記圧縮機の入力電流が上記所定電流値未満であると判定し、かつ、上記第１温度判定手段が上記室内熱交換器の温度と上記室内空気の温度との温度差の絶対値が上記第１所定温度未満であると判定し、かつ、上記第２温度判定手段が上記室外熱交換器の温度と上記外気温度との温度差の絶対値が上記第２所定温度未満であると判定する状態が上記計時手段による上記所定時間以上継続したとき、ガス欠であると判定することを特徴としている。
【００１５】
上記請求項４の空気調和機によれば、上記圧縮機の入力電流が上記所定電流値未満である条件と、上記室内熱交換器の温度と上記室内空気の温度との温度差の絶対値が上記第１所定温度未満であると条件と、上記室外熱交換器の温度と上記外気温度との温度差の絶対値が上記第２所定温度未満であるという条件の３つの条件を満足する状態が所定時間以上継続したときにガス欠と判定するので、運転状態によって実際にはガス欠でないが過渡的にガス欠の条件となっても、すぐにガス欠と判別することがなく、誤ったガス欠検出を防止できる。
【００１６】
【発明の実施の形態】
以下、この発明の空気調和機を図示の実施の形態により詳細に説明する。
【００１７】
図１はこの発明の実施の一形態の空気調和機の構成図を示している。この空気調和機は、図１に示すように、圧縮機１と、上記圧縮機１の吐出側に一端が接続された四方弁２と、上記四方弁２の他端に一端が接続された室外熱交換器３と、上記室外熱交換器３の他端に一端が接続された電動膨張弁４と、上記電動膨張弁４の他端に一端が接続された閉鎖弁５と、上記閉鎖弁５の他端に一端が接続された室内熱交換器６と、上記室内熱交換器６の他端に四方弁２を介して一端が接続され、他端が上記圧縮機１の吸込側に接続された閉鎖弁７とを備えている。上記圧縮機１，四方弁２，室外熱交換器３，電動膨張弁４，閉鎖弁５，室内熱交換器６および閉鎖弁７で冷媒回路を構成している。
【００１８】
また、上記空気調和機は、上記室外熱交換器３の温度を検出する室外熱交換器温度センサ１１と、外気温度を検出する外気温度センサ１２と、室内熱交換器６の温度を検出する室内熱交換器温度センサ１３と、室内空気の温度を検出する室内温度センサ１４とを備えると共に、室外熱交換器３近傍に配置された室外ファン（プロペラファン）１５と、室内熱交換器６近傍に配置された室内ファン（クロスフローファン）１６とを備えている。
【００１９】
また、上記空気調和機は、室外熱交換器温度センサ１１，外気温度センサ１２，室内熱交換器温度センサ１３および室内温度センサ１４からの信号を受けて、圧縮機１などを制御する制御部１０を備えている。上記制御部１０は、交流電源２０から交流電圧が供給され、インバータ電圧出力により圧縮機１を駆動する。また、上記空気調和機は、上記圧縮機１の入力電流を検出する入力電流センサ２１を備えている。
【００２０】
上記制御部１０は、圧縮機１の入力電流を判定する入力電流判定手段１０ａと、上記室内熱交換器６の温度と室内空気の温度との温度差の絶対値を判定する第１温度判定手段１０ｂと、上記室外熱交換器３の温度と外気温度との温度差を判定する第２温度判定手段１０ｃと、入力電流判定手段１０ａ，第１温度判定手段１０ｂおよび第２温度判定手段１０ｃの各判定結果に基づいてガス欠を判定するガス欠判定手段１０ｄと、計時手段の一例としてのタイマ１０ｅを有している。
【００２１】
上記構成の空気調和機において、暖房運転時は、四方弁２を点線の切換位置に切り換えて、圧縮機１を駆動すると、圧縮機１から吐出された高温冷媒は、凝縮器としての室内熱交換器６で凝縮した後、電動膨張弁４により減圧され、減圧された冷媒は、蒸発器としての室外熱交換器３で蒸発した後、圧縮機１の吸込側に戻る。一方、冷房運転時は、四方弁２を実線の切換位置に切り換えて、圧縮機１を駆動すると、圧縮機１から吐出された高温冷媒は、凝縮器としての室外熱交換器３で凝縮した後、電動膨張弁４により減圧され、減圧された冷媒は、蒸発器としての室内熱交換器６で蒸発した後、圧縮機１の吸込側に戻る。
【００２２】
次に、上記空気調和機の制御部１０によるガス欠判定処理について、図２，図３に示すフローチャートにしたがって説明する。なお、このガス欠判定処理は、空気調和機の運転中に繰り返し行われる。
【００２３】
まず、ガス欠判定処理がスタートすると、図２に示すステップＳ１で、圧縮機１の運転周波数Ｆｏｕｔを検出し、入力電流センサ２１により入力電流Ｉｉｎを検出し、外気温度センサ１２により外気温度ＴＡｏを検出し、室外熱交換器温度センサ１１により室外熱交換器温度ＴＨｏを検出し、室内温度センサ１４により室内温度ＴＡｉを検出し、室内熱交換器温度センサ１３により室内熱交換器温度ＴＨｉを検出する。
【００２４】
次に、ステップＳ２に進み、ガス欠判定電流値Ｉｇａｓを次式により算出する。
冷房・除湿運転時  ：  Ｉｇａｓ  ＝  ｆ（ａ１，ｂ１；Ｆｏｕｔ）
暖房運転時      ：  Ｉｇａｓ  ＝  ｆ（ａ２，ｂ２；Ｆｏｕｔ）
ここで、ｆ（ａ１，ｂ１；Ｆｏｕｔ）＝ａ１×Ｆｏｕｔ＋ｂ１
ｆ（ａ２，ｂ２；Ｆｏｕｔ）＝ａ２×Ｆｏｕｔ＋ｂ２
であり、ａ１，ｂ１，ａ２，ｂ２は定数である（例えば、ａ１は０．０５０，  ｂ１は０．８，  ａ２は０．０２８，  ｂ２は１．１）。
【００２５】
次に、ステップＳ３に進み、外気温度ＴＡｏと室外熱交換器温度ＴＨｏの温度差の絶対値△Ｔｏを、
【数１】
2004162979.tif 000003
により算出する。
【００２６】
次に、ステップＳ４に進み、室内温度ＴＡｉと室内熱交換器温度ＴＨｉの温度差の絶対値△Ｔｉを、
【数２】
2004162979.tif 000004
により算出する。
【００２７】
次に、図３に示すステップＳ５に進み、運転周波数Ｆｏｕｔが所定周波数Ｆｇａｓ以上と判定すると、ステップＳ６に進む。一方、ステップＳ５で運転周波数Ｆｏｕｔが所定周波数Ｆｇａｓ未満と判定すると、ステップＳ１１に進み、タイマをクリアして、このガス欠判定処理を終了する。
【００２８】
次に、ステップＳ６で入力電流Ｉｉｎがガス欠判定電流値Ｉｇａｓ未満であるかと判定すると、ステップＳ７に進む。一方、ステップＳ６で入力電流Ｉｉｎがガス欠判定電流値Ｉｇａｓ以上と判定すると、ステップＳ１１に進む。
【００２９】
次に、ステップＳ７で外気温度ＴＡｏと室外熱交換器温度ＴＨｏの温度差の絶対値△Ｔｏが第１所定温度Ｔｇａｓ１（例えば３℃）未満と判定すると、ステップＳ８に進む。一方、ステップＳ７で温度差の絶対値△Ｔｏが第１所定温度Ｔｇａｓ１以上と判定すると、ステップＳ１１に進む。
【００３０】
次に、ステップＳ８で室内温度ＴＡｉと室内熱交換器温度ＴＨｉの温度差の絶対値△Ｔｉが第２所定温度Ｔｇａｓ２（例えば３℃）未満と判定すると、ステップＳ９に進む。一方、ステップＳ８で温度差の絶対値△Ｔｉが第２所定温度Ｔｇａｓ２以上と判定すると、ステップＳ１１に進む。
【００３１】
次に、ステップＳ９に進み、タイマ値Ｔｍが０であると判定すなわちタイマがスタートしていないと判定すると、ステップＳ１２に進み、ステップＳ１２でタイマ１０ｅをスタートさせて、処理を終了する。
【００３２】
一方、ステップＳ９に進み、タイマ値Ｔｍが０でないすなわちタイマの計時がスタートしていると判定すると、ステップＳ１０に進み、タイマ値ＴｍがＴｍａｘ（例えば９００ｓｅｃ）を越えているすなわちタイマの計時がオーバーしている判定すると、ステップＳ１３に進み、ガス欠異常であることが確定する。
【００３３】
また、ステップ１０でタイマ値ＴｍがＴｍａｘを越えていないすなわちタイマの計時がオーバーしていないと判定すると、このガス欠判定処理を終了する。
【００３４】
このように、上記実施の形態の空気調和機では、
▲１▼  圧縮機１の入力電流がガス欠判定電流値Ｉｇａｓ未満である。
▲２▼  室内熱交換器温度ＴＨｉと室内温度ＴＡｉとの温度差の絶対値△Ｔｉが第１所定温度Ｔｇａｓ１未満である。
▲３▼  室外熱交換器温度ＴＨｏと外気温度ＴＡｏとの温度差の絶対値△Ｔｏが第２所定温度Ｔｇａｓ２未満である。
という▲１▼〜▲３▼の３つの条件の全てが満足したときにガス欠異常であると判定することによって、負荷に対して必要以上の能力供給を行うことなく、広い運転条件下でガス欠を確実に検出することができる。
【００３５】
また、従来の２つの制御（圧縮機の入力電流で判定する制御、熱交換器の温度と吸込温度との温度差に基づいて判定する制御）が別々に行われる空気調和機に比べ、制御ロジックを統一することにより、ガス欠判定処理に関するマイクロコンピュータのプログラム容量を半減化することができる。
【００３６】
さらに、冷媒回路内に詰まりが発生したときでも、このガス欠判定処理を用いて検出することが可能であり、それにより、冷媒回路の閉塞時の圧縮機などの機能部品の故障を防止することができる。
【００３７】
上記実施の形態では、暖房運転時と冷房運転時にガス欠判定を行う空気調和機について説明したが、除湿運転などの他の運転モードにおいてガス決判定を行う空気調和機にこの発明を適用してよい。
【００３８】
また、上記実施の形態では、圧縮機１の入力電流を入力電流センサ２１により検出したが、インバータの入力電流や交流電源からの入力電流を検出して、その検出された入力電流に基づいて圧縮機の入力電流を求めてもよい。
【００３９】
【発明の効果】
以上より明らかなように、請求項１の発明の空気調和機は、圧縮機，室内熱交換器，減圧手段および室外熱交換器が環状に接続された冷媒回路を備え、上記圧縮機の運転周波数を制御する空気調和機において、上記圧縮機の入力電流が圧縮機の運転周波数に応じた所定電流値未満で、かつ、上記室内熱交換器の温度と室内空気の温度との温度差の絶対値が第１所定温度未満で、かつ、上記室外熱交換器の温度と外気温度との温度差の絶対値が第２所定温度未満であるとき、ガス欠と判定するものである。
【００４０】
したがって、請求項１の発明の空気調和機によれば、上記３つの条件が満たされたときにガス欠と判定することによって、各条件のいずれかが誤検出したとしても他の２つの条件により補完できるので、負荷に対して必要以上の能力供給を行うことなく、広い運転条件下でガス欠を確実に検出することができると共に、冷媒回路の閉塞時も同様に検出でき、閉塞時の機能部品の故障を防止することができる。
【００４１】
また、請求項２の発明の空気調和機は、圧縮機，室内熱交換器，減圧手段および室外熱交換器が環状に接続された冷媒回路を備え、上記圧縮機の運転周波数を制御する空気調和機において、上記圧縮機に入力される入力電流を検出する入力電流センサと、上記室内熱交換器の温度を検出する室内熱交換器温度センサと、室内空気の温度を検出する室内温度センサと、上記室外熱交換器の温度を検出する室外熱交換器温度センサと、外気温度を検出する外気温度センサと、上記入力電流センサにより検出された圧縮機の入力電流が、上記圧縮機の運転周波数に応じた所定電流値未満か否かを判定する入力電流判定手段と、上記室内熱交換器温度センサにより検出された上記室内熱交換器の温度と室内温度センサにより検出された室内空気の温度との温度差の絶対値が第１所定温度未満か否かを判定する第１温度判定手段と、上記室外熱交換器温度センサにより検出された室外熱交換器の温度と上記外気温度センサにより検出された外気温度との温度差の絶対値が第２所定温度未満か否かを判定する第２温度判定手段と、上記入力電流判定手段が圧縮機の入力電流が所定電流値未満であると判定し、かつ、上記第１温度判定手段が上記室内熱交換器の温度と室内空気の温度との温度差の絶対値が第１所定温度未満であると判定し、かつ、上記第２温度判定手段が上記室外熱交換器の温度と外気温度との温度差の絶対値が第２所定温度未満であると判定したとき、ガス欠であると判定するガス欠判定手段とを備えたものである。
【００４２】
したがって、請求項２の発明の空気調和機によれば、上記３つの条件が満たされたときに上記ガス欠判定手段によりガス欠と判定することによって、各条件のいずれかが誤検出したとしても他の２つの条件により補完できるので、負荷に対して必要以上の能力供給を行うことなく、広い運転条件下でガス欠を確実に検出できると共に、冷媒回路の閉塞時も同様に検出でき、閉塞時の機能部品の故障を防止することができる。
【００４３】
また、請求項３の発明の空気調和機によれば、請求項２の空気調和機において、上記入力電流判定手段の圧縮機の入力電流の判定に用いる上記所定電流値を、少なくとも冷房運転と暖房運転の運転モードに応じて設定することによって、そのときの運転モードに応じた最適な上記所定電流値による判定ができ、上記圧縮機の入力電流の判定をより正確に行うことができる。
【００４４】
また、請求項４の発明の空気調和機は、請求項２または３の空気調和機において、上記入力電流判定手段が圧縮機の入力電流が所定電流値未満であると判定し、かつ、上記第１温度判定手段が室内熱交換器の温度と室内空気の温度との温度差の絶対値が第１所定温度未満であると判定し、かつ、上記第２温度判定手段が室外熱交換器の温度と外気温度との温度差の絶対値が第２所定温度未満であると判定する状態が計時手段による所定時間以上継続したときにガス欠判定手段がガス欠と判定するので、実際にはガス欠でないが過渡的にガス欠の条件となるような運転状態でも、すぐにガス欠と判別することがなく、誤ってガス欠と判定するのを防止することができる。
【図面の簡単な説明】
【図１】図１はこの発明の実施の一形態の空気調和機の構成図である。
【図２】図２は上記空気調和機のガス欠判定処理を説明するフローチャートである。
【図３】図３は図２に続くフローチャートである。
【符号の説明】
１…圧縮機、
２…四方弁、
３…室外熱交換器、
４…電動膨張弁、
５…閉鎖弁、
６…室内熱交換器、
７…閉鎖弁、
１０…制御部、
１０ａ…入力電流判定手段、
１０ｂ…第１温度判定手段、
１０ｃ…第２温度判定手段、
１０ｄ…ガス欠判定手段、
１０ｅ…タイマ、
１１…室外熱交換器温度センサ、
１２…外気温度センサ、
１３…室内熱交換器温度センサ、
１４…室内温度センサ、
１５…室外ファン、
１６…室内ファン、
２０…交流電源、
２１…入力電流センサ。
【図１】
2004162979.tif 000005
【図２】
2004162979.tif 000006
【図３】
2004162979.tif 000007